(57)【要約】【課題】  軽快な釣操作を行うことができる振出竿を提供する。【解決手段】  元竿１のリールシート６より竿尻側に弾性材製の後グリップ部１０を設けるとともに、元上１３に弾性材製の前グリップ部９を設ける。前グリップ部９を元竿１より竿先側で表出する状態と前記元竿内に収納される状態とに切換るべく、元上１３を元竿１から引出し状態と、元上１３を元竿内に収納した状態とに切り換え可能に構成してある。【選択図】        図１
2006055060.tif 000002
【特許請求の範囲】
【請求項１】
元竿のリールシートより竿尻側に弾性材製の後グリップ部を設けるとともに、元上に弾性材製の前グリップ部を設け、前記前グリップ部を前記元竿より竿先側で表出する状態と前記元竿内に収納される状態とに切換るべく、前記元上を元竿から引出した状態と、元上を元竿内に収納した状態とに切り換え可能に構成してある釣り竿。
【請求項２】
請求項１記載の釣り竿を、釣り用クーラに装着具を介して着脱可能に構成し、前記装着具に釣り用クーラに吸着可能な吸着部と前記元竿に装着可能な取付部とを形成し、前記装着具を元竿に取り付けた状態で、前記吸着部を釣り人の肘当てとして兼用構成してある釣り用治具。
【請求項３】
前記元竿内に他の竿体を収納した釣り竿の先端にトップカバーを被せ、そのトップカバーと元竿とに、夫々、前記装着具を取付け、二つの装着具を前記釣り用クーラの側面に吸着させて、釣り竿を前記釣り用クーラに装着している請求項２記載の釣り用治具。
【発明の詳細な説明】
【技術分野】
【０００１】
本発明は、手元側の竿に弾性材製のグリップ部を設けてある釣り竿に関する。
【背景技術】
【０００２】
この種の釣り竿において、手元側の竿にグリップ部を設けるに、リールシートの竿尻側に設けてあった（特許文献１参照）。
【０００３】
【特許文献１】特開平７−３２７５５６号公報（公報第２欄の段落番号〔００１０〕、図１、２）
【発明の開示】
【発明が解決しようとする課題】
【０００４】
振出竿の場合、元竿の長さには一定の制約があり、リールシート前部にグリップ部を設けられない場合が多い。このような場合には、グリップ部を握る手はその弾性変位力によって圧迫感をうけずに釣り操作を行うことが可能であるが、両手を使って操作を行う場合には、グリップ部を握る手とは反対側の手でリールシートより竿先側を握る必要があるために、弾性変位力の少ない竿体の表面を直接握ることになるので、手が圧迫感を受け、不快な感覚を持って釣操作を行う事態になっていた。
【０００５】
本発明の目的は、軽快な釣操作を行うことができる釣り竿を提供する点にある。
【課題を解決するための手段】
【０００６】
〔構成〕
請求項１に係る発明の特徴構成は、元竿のリールシートより竿尻側に弾性材製の後グリップ部を設けるとともに、元上に弾性材製の前グリップ部を設け、前記前グリップ部を前記元竿より竿先側で表出する状態と前記元竿内に収納される状態とに切換るべく、前記元上を元竿から引出した状態と、元上を元竿内に収納した状態とに切り換え可能に構成してある点にあり、その作用効果は次の通りである。
【０００７】
〔作用〕
つまり、元上に前グリップ部を設けることによって、後グリップ部を持つ手とは反対側の手をその前グリップ部に添えることができて、穂先を持ち上げて棚取り操作等を容易に行い得るとともに、前グリップ部を持つ手にはそのグリップ部の弾性変形作用により手に圧迫感は作用しない。また、前グリップ部の弾性変形力により握った手が滑りにくくなっている。
しかも、前グリップ部は元竿に対して収納可能な元上に設けたので、例えば、手に付着した撒き餌等がその前グリップ部に付着したとしても、釣り場を移動する場合等には、元上とともに前グリップ部を元竿内に収納して、その付着した撒き餌等が発する異臭等の拡散を阻止することができる。
【０００８】
〔効果〕
したがって、釣操作時の手指に対する圧迫感を抑制して快適な釣操作を行える釣り竿を、異臭を発する等の不都合を抑制した状態で提供できるに至った。
【０００９】
請求項２に係る発明の特徴構成は、請求項１に係る釣り竿を、釣り用クーラに装着具を介して着脱可能に構成し、前記装着具に釣り用クーラに吸着可能な吸着部と前記元竿に装着可能な取付部とを形成し、前記装着具を元竿に取り付けた状態で、前記吸着部を釣り人の肘当てとして兼用構成してある点にあり、その作用効果は次の通りである。
【００１０】
〔作用効果〕
つまり、釣り用クーラに釣り竿を取り付けるについて、吸着によって相手側面に取り付く吸着部を有する装着具を、釣り用クーラと釣り竿との中立ちとして導入することによって、釣り用クーラに釣り竿を取り付けるための取付具を必要とせず、装着具を釣り竿に取り付けた状態で肘当てとして兼用することができる。
【００１１】
請求項３に係る発明の特徴構成は、請求項１に係る発明において、前記元竿内に他の竿体を収納した釣り竿の先端にトップカバーを被せ、そのトップカバーと元竿とに、夫々、前記装着具を吸着させて、二つの装着具を前記釣り用クーラの側面に吸着させて、釣り竿を前記釣り用クーラに装着している点にあり、その作用効果は次の通りである。
【００１２】
〔作用効果〕
釣り竿を釣り用クーラに取り付けるについて、装着具を取り付ける釣り竿側の対象として、元竿部分とともに釣り竿の先端部を覆ったトップカバーに定めたので、元竿からトップカバーまでの広いスパンで釣り竿を釣り用クーラに取り付けることができ、釣り竿を安定して取り付けることができる。
また、トップカバーに装着具を取り付けているので、釣り竿を釣り用クーラから取り外した場合に、その装着具を釣り用クーラに取り付けることによって、トップカバーを釣り用クーラに取り付けておくことができ、トップカバーの仕舞いに困ることはない。
【発明を実施するための最良の形態】
【００１３】
図１に示すように、船用の釣り竿Ａを、穂先竿１１、複数本の中竿１２、及び、元上１３、元竿１とで構成し、元竿１に、リール脚部２の後端部を差し込み装着する可動フード３と、リール脚部２の前端部を差し込み装着する固定フード４とを、有するリールシート６を形成する。固定フード４とシートベース５とを一体成形すべく、竿素材の所定位置にザグリ部を形成し、そのザグリ部に固定フード４とシートベース５とをインジェクション成形する。シートベース５における固定フード４の竿尻側部分にネジ部７を一体成形するとともに、このネジ部７に可動フード３を外嵌し、その可動フード３の竿尻側にナットリング８を螺着し、ナットリング８と可動フード３とを一体移動可能に構成してある。
【００１４】
図１に示すように、可動フード３の竿尻側に後グリップ部１０を形成するとともに、元上１３に前グリップ部９を形成して、釣り状況に応じて両グリップ部９，１０を使い分け可能に構成する。両グリップ部９，１０はＥＶＡを材料とする弾性の高い発泡樹脂製のリング状部材であり、その弾性によって握り感覚を高めている。
【００１５】
図１に示すように、元上１３に形成された前グリップ部９は、元上１３が元竿１から引き出された状態で表出する状態となり、元上１３が元竿１内に収納された状態では、前グリップ部９は元竿1内に収納される。
したがって、元上１３を元竿１より引き出した釣操作時においては、後グリップ部１０を握って魚の当たりを待ったり、魚が針掛かりした場合に糸を緩めたり竿を移動させたりする魚との遣り取りをするとともに、魚を抜き上げる等の場合には、後グリップ部１０を脇に挟みその後グリップ部１０を握っていた手とは反対側の手を前グリップ部９に添えて、釣り上げる操作をすることができる。
【００１６】
上記したように、前グリップ部９は魚の抜き上げ時等に握り操作されるので、撒き餌等の付いた手で握られることが多い。そうすると、前グリップ部９は汚れ、かつ、異臭を伴うこともある。したがって、釣り場を移動する場合や納竿時には、元上１３を元竿1内に収納して、前グリップ部９を元竿1内に収納して、汚れ部分を覆い、異臭の拡散等を阻止できる。
【００１７】
次に、釣り用クーラ１５に釣り竿Ａを取り付ける構造について説明する。図１及び図２に示すように、釣り竿Ａを釣り用クーラー１５に装着するための装着具１６について説明する。装着具１６は、後グリップ部１０に外嵌されるリング状取付部１６Ｂと相手側取付面への湾曲状吸着面１６Ａとを備えている。この場合には、リング状取付部１６Ｂを後グリップ部１０に外嵌装着しているので、吸着式に取り付ける場合に比べて取付状態が安定する。
【００１８】
この場合に、装着具１６の全体を軟質の樹脂材で構成してもよいが、リング状取付部１６Ｂだけを金属や樹脂の硬質材で構成し、湾曲状吸着面１６Ａを軟性の樹脂で構成することもできる。
図示していないが、リング状取付部１６Ｂをバンド式に締付固定するものであってもよい。
【００１９】
また、次ぎのような構成を採っても良い。つまり、装着具１６の別形態について説明する。装着具１６としては、真空力を利用した吸着性の高いものを考える。つまり、図１に示すように、一方に大径で略お椀状の吸着面１６Ａと、図示してはないが、そのお椀状の吸着面１６Ａの存在側とは反対側にやや小径の皿状吸着面を軟性のプラスティック材で一体成形して形成する。この小径の皿状吸着面を元竿１の後グリップ部１０に装着することができるが、吸着力が不足する場合には、接着剤等を利用して取り付けてもよい。
【００２０】
一方、釣り竿Ａは、穂先竿１１、複数の中竿１２、元上１３を元竿1内に収納して、穂先竿１１、複数の中竿１２、元上１３の元竿１から突出する糸ガイド部をトップカバー１７で覆う。
この釣り竿Ａに対して、トップカバー１７に装着具１６のリング状取付部１６Ｂを巻回させて装着具１６を取り付けるとともに、後グリップ部１０に別個の装着具１６のリング状取付部１６Ｂを吸着させてその装着具１６を取り付ける。
【００２１】
図２に示すように、釣り竿Ａの二つの装着具１６、１６のお椀状の吸着面１６Ａを釣り用クーラ１５の一側面に装着することによって、釣り竿Ａを釣り用クーラ１５に装着することができる。
釣り用クーラ１５の装着対象面の横幅は、６５〜７０ｃｍ位のものを想定しており、釣り竿Ａを釣り用クーラ１５のその側面に取り付けた状態で、その横側面から突出しない長さに形成してある。
このような構成によって、釣り場を移動する際に釣り竿Ａを持ち運ぶ必要はなく釣り竿Ａを取付けた釣り用クーラ１５を運べばよい。その際に、釣り竿Ａが釣り用クーラ１５より突出していないので、釣り用クーラ１５を肩に掛ける場合等に煩わしさがない。
【００２２】
釣り場に着いて釣り竿Ａを釣り用クーラ１５より取り外した後は、トップカバー１７を竿から取り外し、その取り外したトップカバー１７に取り付けた装着具１６を再び釣り用クーラ１５に取り付けることによって、トップカバー１７の紛失防止を図ることができる。
【００２３】
一方、釣り用クーラ１５より取り外した釣り竿Ａの後グリップ部１０に取付た装着具１６については、その装着具１６のお椀状の吸着面１６Ａに竿を握った腕の肘部分を載置するように利用することができる。
【００２４】
〔別実施の形態〕
（１）グリップ部９，１０を形成する材料としては、ＥＶＡ以外の弾性の高い樹脂材料であってもよい。つまり、元竿１の竿素材にエポキシ系樹脂とウレタン系樹脂とを積層し、それらの表面に特殊塗装を施す。この特殊塗装は、２液型特殊ウレタン樹脂塗料を施したもので、この特殊塗装を施したグリップ部９，１０は、通常の塗料が有する「素材保護」「美粧」という基本的性能を発揮するとともに、そのグリップ部９，１０に触れた場合の感触が落ち着いた「柔らか味」「温かさ」に溢れたものになる。つまり、このような塗料を塗布することによって、グリップ部９、１０に弾性変形力を付与することができる。特殊塗装は、膜厚が０．０５ｍｍ以上であればよく、好ましくは、０．０５〜０．３ｍｍであればよい。
（２）フード３，４をともに可動フードに形成してもよい。
【図面の簡単な説明】
【００２５】
【図１】釣り竿の全体側面図であって、（イ）は元上を突出させた状態を示し、（ロ）は元上を元竿内に収納した状態を示す
【図２】釣り竿をクーラー側面に取り付けた状態を示す側面図
【符号の説明】
【００２６】
１                      元竿
６                      リールシート
９                      前グリップ部
１０                    後グリップ部
１３                    元上
１５                    釣り用クーラ
１６                    装着具
１６Ａ                  取付部
１６Ｂ                  吸着部
【図１】
2006055060.tif 000003
【図２】
2006055060.tif 000004